(57)【要約】【課題】小型の回路で負荷の稼働状態を正確に検出する。【解決手段】請求項１の発明による過電流保護検出回路は、負荷に印加される過電流を保護する過電流保護素子（ＲＰ１）と、過電流保護素子（ＲＰ１）が、過電流保護状態であるか否かを監視する監視素子（ＰＣ１）とを具備する。請求項２の発明による過電流保護検出回路は、請求項１において、過電流保護素子（ＲＰ１）がポリスイッチであり、監視素子（ＰＣ１）が、過電流保護素子（ＲＰ１）から負荷に印加される電圧を監視するフォトカプラであることを特徴とする。【選択図】図１
2005151776.tif 000002
【特許請求の範囲】
【請求項１】
負荷に印加される過電流を保護する過電流保護素子（ＲＰ１）と、
該過電流保護素子（ＲＰ１）が、過電流保護状態であるか否かを監視する監視素子（ＰＣ１）とを具備する過電流保護検出回路。
【請求項２】
前記過電流保護素子（ＲＰ１）がポリスイッチであり、
前記監視素子（ＰＣ１）が、前記過電流保護素子（ＲＰ１）から負荷に印加される電圧を監視するフォトカプラであることを特徴とする請求項１に記載の過電流保護検出回路。
【発明の詳細な説明】
【技術分野】
【０００１】
本発明は、ゲーム機の過電流保護と過電流検出に最適な過電流保護検出回路に関するものである。
【背景技術】
【０００２】
図３に示すように、ブッシャーゲーム機においてメダルをプレイヤーに払い出す際には、メダルをプッシャー台からアウトホッパーに一旦落としてから、エスカレーター２４で持ち上げ、このときにメダルの計数を行ってから払い出し口に払い出すようにしている。
【０００３】
このエスカレーター２４の駆動モータ（図示せず）は、非常に高速で回転していることと、その回転を検出する機器を設けるスペースが無いことから、従来はエスカレーター２４の駆動モータの回転状態を検出することは行われていなかった。
【発明の開示】
【発明が解決しようとする課題】
【０００４】
しかしながら、エスカレーター２４の駆動モータは、メダルをプレイヤーに払い出す際の計数を行う重要な役割を担うことから、その回転状態を正確に検出する必要性があった。
【０００５】
本発明は、上記の問題点に鑑みてなされたもので、小型の回路で負荷の稼働状態を正確に検出することを最も主要な目的とする。
【課題を解決するための手段】
【０００６】
この目的を達成するために、請求項１の発明による過電流保護検出回路は、負荷に印加される過電流を保護する過電流保護素子（ＲＰ１）と、過電流保護素子（ＲＰ１）が、過電流保護状態であるか否かを監視する監視素子（ＰＣ１）とを具備する。
請求項２の発明による過電流保護検出回路は、請求項１において、過電流保護素子（ＲＰ１）がポリスイッチであり、監視素子（ＰＣ１）が、過電流保護素子（ＲＰ１）から負荷に印加される電圧を監視するフォトカプラであることを特徴とする。
【発明の効果】
【０００７】
以上のように、本発明の過電流保護検出回路によれば、小型の回路で負荷の稼働状態を正確に検出することことが可能となる。
【発明を実施するための最良の形態】
【０００８】
以下、本発明の実施の形態を図面に基づいて説明する。実施の形態は、本発明をブッシャーゲーム機のアウトホッパーの状態検出回路に適用した場合を例にしている。
【実施例１】
【０００９】
図１は、本発明による過電流保護検出回路の一実施形態を示すブロック結線図である。
図１において、コネクタＡは、電源回路とＣＰＵ（共に図示せず）とに接続されている。コネクタＢは、ブッシャーゲーム機のアウトホッパーに使用されるエスカレーター２４（図３）の駆動モータ（図示せず）に接続されている。
【００１０】
コネクタＡの端子１１には電源回路（図示せず）から正極の電圧が印加され、過電流保護素子ＲＰ１を介して、コネクタＢの端子２１に供給される。過電流保護素子ＲＰ１は、ポリスイッチ（Poly Switch）と呼ばれている抵抗素子であり、過電流が流れると抵抗値が極端に大きくなり（オフ状態）、過電流が無くなると元の抵抗値（オン状態）に戻る特性を持っている。コネクタＡの端子１４は、アースラインとしてコネクタＢの端子２３に接続されている。
【００１１】
端子２１と端子２３との間には、フォトカプラＰＣ１の発光素子が抵抗Ｒ１を介して接続される。抵抗Ｒ１は電流制限用の抵抗である。フォトカプラＰＣ１の受光素子の出力は、端子３３〜３４、端子１２〜１３を介して、コネクタＡに接続されたＣＰＵ（図示せず）に供給される。なお、端子２１と端子２３との間に設けられているコンデンサＣ１は、ノイズキャンセラーである。
【００１２】
次に、図１に示す回路の動作について説明する。
【００１３】
エスカレーター２４（図３）の駆動モータ（図示せず）が回転停止すると、逆起電力が無くなることから過電流保護素子ＲＰ１に過電流が流れ、過電流保護素子ＲＰ１がオフ状態になる。これにより端子２１に印加される電圧がゼロになることからフォトカプラＰＣ１の発光素子が発光を停止する。フォトカプラＰＣ１の受光素子の出力はゼロとなり、この状態を端子１２〜１３を介してコネクタＡに接続されたＣＰＵ（図示せず）が検知することによって、エスカレーター２４の駆動モータが回転停止したことを検出する。
【００１４】
図２は、コネクタＡに接続されたＣＰＵ（図示せず）のプログラムを示すフローチャートである。以下、このフローチャートについて説明する。
【００１５】
プログラムがスタートすると、ステップＳ１において、電源回路（図示せず）からコネクタＡの端子１１に電圧を印加して、過電流保護素子ＲＰ１を介してコネクタＢの端子２１に供給することで、エスカレーター２４の駆動モータの回転を開始する。ステップＳ２では、エスカレーター２４の駆動モータがロック（停止）したか否かをフォトカプラＰＣ１の受光素子の出力から判断する。ロック（停止）していないと判断したときはステップＳ１に戻る。ロック（停止）したと判断しときは、ステップＳ３に移行する。
【００１６】
ステップＳ３では、電源回路（図示せず）からコネクタＡの端子１１に印加する電圧をオフにして、エスカレーター２４の駆動モータの回転をオフにする。ステップＳ４ではエラー処理を行い、プログラムを終了する。
【００１７】
以上、本発明を実施の形態により説明したが、本発明の技術的思想によれば、種々の変形が可能である。例えば、上述した実施形態においては、過電流保護素子ＲＰ１の監視をフォトカプラＰＣ１により行ったが、リレー等の他の素子を用いることも出来る。
また、負荷が誘導性負荷であるモータを例にして稼働状態を検出する説明をしたが、過電流検出の観点からすれば誘導性負荷に限られることはなく、抵抗負荷であっても良い。
また、負荷に印加する電流が直流の場合を例にしたが、フォトカプラＰＣ１が交流にも対応できることからも、印加する電流が直流の場合に限ることなく、交流の場合にも本発明を適用することができる。
【産業上の利用可能性】
【００１８】
本発明は、プッシャーゲーム機と呼ばれいているゲーム機のメーカーが利用可能な技術を提示している。
【図面の簡単な説明】
【００１９】
【図１】過電流保護検出回路を示すブロック結線図である。（実施例１）
【図２】過電流保護検出回路の実施方法を示すフローチャートである。（実施例１）
【図３】従来の過電流保護検出回路の一例を示すブ説明図である。
【符号の説明】
【００２０】
Ｃ１    コンデンサ
ＰＣ１  フォトカプラ
ＲＰ１  過電流保護素子
Ｒ１    抵抗
１１〜１４  端子
２１〜２３  端子
３１〜３４  端子
２４    エスカレーター
【図１】
2005151776.tif 000003
【図２】
2005151776.tif 000004
【図３】
2005151776.tif 000005